(57)【要約】【課題】製氷運転と除氷運転とを交互に繰り返し実行する製氷機において、部品点数をできるだけ減らしてコストの低減を図る。【解決手段】製氷機１０は、製氷部１１にて製氷運転と除氷運転を交互に繰り返し実行して氷を製造するものであり、製氷部１１を冷却する冷凍装置３０の膨張弁３３には制御装置４０の制御によって開度が調整される電子膨張弁を採用し、製氷部１１における蒸発器３４の冷媒の入口部３４ａと冷媒の出口部３４ｂとの各々に入口部温度センサ３７と出口部温度センサ３８とを設けた。制御装置４０は製氷運転を実行しているときに入口部温度センサ３７と出口部温度センサ３８との各検出温度に基づいて膨張弁の開度を制御するとともに、入口部温度センサ３７と出口部温度センサ３８との少なくとも一方の検出温度に基づいて、製氷運転の際に製氷が完了したことと除氷運転の際に除氷が完了したことの少なくとも一方の検知をするようにした。【選択図】図１
2019078466.tif 000002
【特許請求の範囲】
【請求項１】
製氷水を凍結させて氷を製造する製氷部と、
前記製氷部に製氷水を送出する送水部と、
前記製氷部を冷却及び加温する冷凍装置と、
前記冷凍装置の作動を制御する制御装置とを備え、
前記冷凍装置は、冷媒を圧縮する圧縮機と、前記圧縮機から圧送された冷媒を冷却して液化させる凝縮器と、前記凝縮器にて液化させた液化冷媒を膨張させる膨張弁と、前記膨張弁により膨張させた液化冷媒を気化させて前記製氷部を冷却する蒸発器と、前記圧縮機から前記蒸発器にホットガスを送出するホットガス経路と、前記ホットガス経路に介装されたホットガス弁とを有し、
前記制御装置は、前記圧縮機から圧送されて前記凝縮器にて液化させた液化冷媒を前記膨張弁にて膨張させ、膨張させた液化冷媒を前記蒸発器にて気化させた気化熱により前記製氷部を冷却し、前記製氷部で前記送水部から送出された製氷水を凍結させて氷を製造する製氷運転と、前記製氷運転後に、前記ホットガス弁を開放することで前記圧縮機から送られるホットガス冷媒を前記蒸発器に送出して前記製氷部を加温し、前記製氷部から氷を離脱させる除氷運転とを交互に繰り返し実行させるようにし、
前記膨張弁には前記制御装置の制御によって開度が調整される電子膨張弁を採用し、前記製氷部における前記蒸発器の冷媒の入口部と冷媒の出口部との各々に入口部温度センサと出口部温度センサとを設け、前記制御装置は前記製氷運転を実行しているときに前記入口部温度センサと前記出口部温度センサとの各検出温度に基づいて前記膨張弁の開度を制御するようにした製氷機であって、
前記制御装置は、前記入口部温度センサと前記出口部温度センサとの少なくとも一方の検出温度に基づいて、前記製氷運転の際に製氷が完了したことと前記除氷運転の際に除氷が完了したことの少なくとも一方の検知をするようにしたことを特徴とする製氷機。
【請求項２】
請求項１に記載の製氷機において、
前記制御装置は、前記入口部温度センサと前記出口部温度センサとの平均温度に基づいて、前記製氷運転の際に製氷が完了したことと前記除氷運転の際に除氷が完了したことの少なくとも一方の検知をするようにしたことを特徴とする製氷機。
【発明の詳細な説明】
【技術分野】
【０００１】
本発明は、製氷部にて製氷運転と除氷運転を交互に繰り返し実行して氷を製造する製氷機に関し、特に、製氷部を冷却及び加温する冷凍装置の膨張弁に制御装置の制御により開度が調整される電子膨張弁を採用した製氷機に関する。
【背景技術】
【０００２】
特許文献１及び２には製氷運転と除氷運転を交互に繰り返し実行して氷を製造する製氷機が開示されている。特許文献１の製氷機は、製氷水を凍結させる製氷部と、製氷部に製氷水を送出する送水部と、製氷部を冷却及び加温する冷凍装置と、送水部及び冷凍装置との作動を制御する制御装置を備えている。製氷機の制御装置は、製氷部を冷凍装置により冷却することで製氷水を凍結させて氷を製造する製氷運転と、製氷運転後に製氷部を加温することで製氷部で製造された氷を離脱させる除氷運転とを交互に繰り返して実行させるように制御している。この製氷機の製氷部の中央部には製氷及び除氷が完了したことを検知するための温度センサが設けられており、制御装置はこの温度センサの検出温度に基づく製氷の完了の検知として、氷結開始温度に達したときから温度センサの単位時間毎の検出温度と単位時間との積である単位積算数値を求め、この単位積算数値を加算した加算合計数値が所定値以上になると製氷の完了を検知し、この温度センサの検出温度に基づく除氷の完了の検知として、温度センサの検出温度が所定の除氷完了温度となると除氷の完了を検知している。
【０００３】
特許文献２の製氷機は、製氷水を凍結させる製氷部と、製氷部に製氷水を送出する送水部と、製氷部を冷却及び加温する冷凍装置と、送水部及び冷凍装置との作動を制御する制御装置を備えている。この製氷機の冷凍装置は、冷媒を圧縮する圧縮機と、圧縮機から圧送された冷媒を冷却して液化させる凝縮器と、凝縮器にて液化させた液化冷媒を膨張させる膨張弁と、膨張弁により膨張させた液化冷媒を気化させて製氷部を冷却する蒸発器と、圧縮機から蒸発器にホットガスを送出するホットガス経路と、ホットガス経路に介装されたホットガス弁とを有し、膨張弁には制御装置の制御信号により開度が調整される電子膨張弁が採用されている。また、製氷部には蒸発器の冷媒の入口部と出口部の温度を検出する入口部温度センサと出口部温度センサが設けられており、電子膨張弁の開度は入口部温度センサと出口部温度センサの差に基づいて制御されている。
【先行技術文献】
【特許文献】
【０００４】
【特許文献１】特開２００８−３０９４０３号公報
【特許文献２】特開平１０−３３９５３３号公報
【発明の概要】
【発明が解決しようとする課題】
【０００５】
上記の特許文献１の製氷機においては、制御装置は製氷部に設けた製氷及び除氷が完了しことを検知することを目的とした温度センサの検出温度に基づいて製氷及び除氷が完了したことを検知している。特許文献１の製氷機に特許文献２の製氷機のように、冷凍装置の膨張弁に電子膨張弁を採用したときには、製氷部には蒸発器の冷媒の入口部と出口部に入口部温度センサと出口部温度センサとを設けて、電子膨張弁の開度を入口部温度センサと出口部温度センサとの各検出温度に基づいて制御する必要が生じる。しかし、特許文献１の製氷機には製氷及び除氷が完了したことを検知するための温度センサが製氷部に設けられており、特許文献２の製氷機のように製氷部の蒸発器の冷媒の入口部と出口部にさらに２つの温度センサを設けると、製氷部に３つの温度センサを設けることになってコストが高くなる問題があった。本発明は、製氷運転と除氷運転とを交互に繰り返し実行する製氷機において、部品点数をできるだけ減らしてコストの低減を図ることを目的とする。
【課題を解決するための手段】
【０００６】
本発明は上記課題を解決するため、製氷水を凍結させて氷を製造する製氷部と、製氷部に製氷水を送出する送水部と、製氷部を冷却及び加温する冷凍装置と、冷凍装置の作動を制御する制御装置とを備え、冷凍装置は、冷媒を圧縮する圧縮機と、圧縮機から圧送された冷媒を冷却して液化させる凝縮器と、凝縮器にて液化させた液化冷媒を膨張させる膨張弁と、膨張弁により膨張させた液化冷媒を気化させて製氷部を冷却する蒸発器と、圧縮機から蒸発器にホットガスを送出するホットガス経路と、ホットガス経路に介装されたホットガス弁とを有し、制御装置は、圧縮機から圧送されて凝縮器にて液化させた液化冷媒を膨張弁にて膨張させ、膨張させた液化冷媒を蒸発器にて気化させた気化熱により製氷部を冷却し、製氷部で送水部から送出された製氷水を凍結させて氷を製造する製氷運転と、製氷運転後に、ホットガス弁を開放することで圧縮機から送られるホットガス冷媒を蒸発器に送出して製氷部を加温し、製氷部から氷を離脱させる除氷運転とを交互に繰り返し実行させるようにし、膨張弁には制御装置の制御によって開度が調整される電子膨張弁を採用し、製氷部における蒸発器の冷媒の入口部と冷媒の出口部との各々に入口部温度センサと出口部温度センサとを設け、制御装置は製氷運転を実行しているときに入口部温度センサと出口部温度センサとの各検出温度に基づいて膨張弁の開度を制御するようにした製氷機であって、制御装置は、入口部温度センサと出口部温度センサとの少なくとも一方の検出温度に基づいて、製氷運転の際に製氷が完了したことと除氷運転の際に除氷が完了したことの少なくとも一方の検知をするようにしたことを特徴とする製氷機を提供するものである。
【０００７】
上記のように構成した製氷機においては、製氷運転を実行するときに電子膨張弁の開度を制御するのに用いる入口部温度センサと出口部温度センサとの少なくとも一方の検出温度に基づいて、製氷運転の際に製氷が完了したことと除氷運転の際に除氷が完了したことの少なくとも一方の検知をするようにしたので、製氷運転と除氷運転との少なくとも一方が完了したことを検知するための温度センサを設ける必要がなくなり、製氷機の部品点数を減らすことでコストダウンを図ることができた。
【０００８】
上記のように構成した製氷機においては、制御装置は、入口部温度センサと出口部温度センサとの平均温度に基づいて、製氷運転の際に製氷が完了したことと除氷運転の際に除氷が完了したことの少なくとも一方の検知をするのが好ましい。
【図面の簡単な説明】
【０００９】
【図１】本発明による製氷機の概略図である。
【図２】制御装置のブロック図である。
【発明を実施するための形態】
【００１０】
以下に、本発明の製氷機の一実施形態を図面を用いて説明する。図１に示したように、製氷機１０は、製氷部１１に設けた下向きに開口する多数の製氷小室１３を水皿２２により開閉自在に閉成し、水皿２２から各製氷小室１３へ製氷水を噴射供給して氷を製造する所謂クローズドセルタイプの製氷機である。この製氷機１０は、製氷部１１にて製氷水を凍結させる製氷運転と、製氷部１１にて凍結させた氷を製氷部１１から除く除氷運転を交互に実行して氷を製造するものであり、製氷部１１を冷却及び加温する冷凍装置３０の膨張弁３３に制御装置４０の制御により開度が調整可能な電子膨張弁を採用したものである。
【００１１】
製氷部１１は、水平に配置された下面が開口した浅い箱形をし、仕切部材１２によって多数の製氷小室１３が形成されている。また、製氷部１１の下方には各製氷小室１３にて製造した氷を貯える貯氷庫１４が設けられている。
【００１２】
製氷機１０は製氷部１１に製氷水を送出する送水部２０を備えている。送水部２０は製氷水タンク２１を下部に一体的に備えた水皿２２を備えている。水皿２２は製氷部１１の下側に接近して製氷小室１３を閉止する閉止位置と、製氷部１１の下側から離間して製氷小室１３を開放する開放位置との間で傾動可能に支持されている。水皿２２には閉止位置と開放位置との間で傾動させる開閉機構２３が設けられており、水皿２２は開閉機構２３によって製氷部１１の製氷小室１３を開閉している。開閉機構２３はアクチュエータモータ２３ａを備え、アクチュエータモータ２３ａの駆動により水皿２２を閉止位置と開放位置との間で傾動させるものである。
【００１３】
送水部２０には製氷水タンク２１に製氷水を供給する給水手段２４と、製氷水タンク２１内の製氷水を製氷小室１３に噴射送出させる送水ポンプ２５が設けられている。給水手段２４は製氷水タンク２１に接続された給水管２４ａと、給水管２４ａに介装された給水弁２４ｂとを備え、給水管２４ａから送られる製氷水は給水弁２４ｂの開放によって製氷水タンク２１に供給される。また、製氷水タンク２１に供給された製氷水は送水ポンプ２５により製氷小室１３に噴射送出される。
【００１４】
製氷機１０は、製氷部１１を冷却及び加温する冷凍装置３０を備えている。冷凍装置３０は、冷媒を圧縮する圧縮機３１と、圧縮機３１から圧送された冷媒を冷却して液化させる凝縮器３２と、凝縮器３２にて液化させた液化冷媒を膨張させて低圧の液化冷媒とする膨張弁３３と、膨張弁３３により膨張させた液化冷媒を気化させて製氷部１１を冷却する蒸発器３４とを備えている。冷凍装置３０は圧縮機３１、凝縮器３２、膨張弁３３及び蒸発器３４が冷媒管によって環状に接続されて冷凍回路を構成している。膨張弁３３は開度が調整可能な電子膨張弁が採用されており、後述する制御装置４０の制御信号によって開度が調整されている。蒸発器３４は製氷部１１の上面に蛇行配置されており、製氷部１１は蒸発器３４を通過する液化冷媒が気化するときの気化熱によって冷却される。
【００１５】
また、冷凍装置３０は除氷運転をするときに蒸発器３４にホットガスを供給するホットガス管（ホットガス経路）３５を備えている。ホットガス管３５は圧縮機３１の下流と蒸発器３４の上流とを接続して、圧縮機３１からのホットガスを蒸発器３４に導くようにしている。ホットガス管３５にはホットガス弁３６が介装されており、圧縮機３１から送られるホットガスはホットガス弁３６の開放によってホットガス管３５を通って蒸発器３４に導かれる。除氷運転時に、ホットガスがホットガス弁３６の開放によって蒸発器３４に導かれると、製氷部１１の製氷小室１３内はホットガスにより加温され、製氷小室１３内で凍結した氷が除氷される。
【００１６】
製氷部１１には蒸発器３４の冷媒の入口部３４ａと冷媒の出口部３４ｂとの各々に入口部温度センサ３７と出口部温度センサ３８が設けられており、入口部及び出口部温度センサ３７，３８は製氷部１１における蒸発器３４の冷媒の入口部３４ａと冷媒の出口部３４ｂの各温度を検出する。入口部及び出口部温度センサ３７，３８は主として製氷運転をするときに電子膨張弁よりなる膨張弁３３の開度を調整する制御に用いられるだけでなく、製氷運転をするときの製氷の完了及び除氷運転をするときの除氷の完了を検知するのに用いられる。
【００１７】
製氷機１０は制御装置４０を備えており、図２に示したように、この制御装置４０は、開閉機構２３のアクチュエータモータ２３ａ、給水弁２４ｂ、送水ポンプ２５、冷凍装置３０の圧縮機３１と、ホットガス弁３６と、入口部及び出口部温度センサ３７，３８に接続されている。制御装置４０はマイクロコンピュータ（図示省略）を有しており、マイクロコンピュータは、バスを介してそれぞれ接続されたＣＰＵ、ＲＡＭ、ＲＯＭ及びタイマ（いずれも図示省略）を備えている。制御装置４０は製氷部１１にて製氷水を凍結させて氷を製造する製氷運転と、製氷運転により製氷部１１にて凍結させた氷を除氷する除氷運転とを繰り返し実行する製氷プログラムを有している。
【００１８】
次に、製氷機１０の製氷プログラムについて説明する。製氷機１０の始動時には予備的に除氷運転を実行し、製氷部１１の製氷小室１３内に氷が必ず残っていない状態とする。除氷運転では、圧縮機３１を作動させた状態でホットガス弁３６を開放するとともに、開閉機構２３のアクチュエータモータ２３ａにより水皿２２を開放位置に傾動させる。圧縮機３１から送出されるホットガスはホットガス管３５を通って蒸発器３４に導かれて製氷部１１の各製氷小室１３を加温する。入口部及び出口部温度センサ３７，３８の平均温度が除氷が完了したことを検知する所定温度として５℃以上となると、制御装置４０は、製氷部１１の製氷小室１３に氷が残ってない、即ち除氷が完了していると検知して、ホットガス弁３６を閉止して除氷運転を終了する。
【００１９】
製氷部１１にて予め除氷運転を実行した後で、制御装置４０は、製氷部１１にて製氷運転と除氷運転を繰り返し実行する。製氷運転では、制御装置４０は、開閉機構２３のアクチュエータモータ２３ａにより水皿２２を閉止位置に傾動させるとともに、給水弁２４ｂを所定時間開放することで製氷水タンク２１に製氷水を供給する。次に、制御装置４０は所定時間経過後に給水弁２４ｂを閉止して給水を終了し、送水ポンプ２５を駆動させて製氷水タンク２１内の製氷水を製氷部１１の各製氷小室１３に噴射送出させる。
【００２０】
また、給水管２４ａから製氷水タンク２１への給水とともに、除氷運転の終了の際にホットガス弁３６を閉止させたことにより、製氷部１１は冷凍装置３０により冷却される。具体的には、圧縮機３１から圧送された冷媒が凝縮器３２により液化されて液化冷媒となり、液化冷媒は入口部及び出口部温度センサ３７，３８の検出温度に基づいて制御装置４０によって開度が調整された膨張弁３３により膨張して低圧の液化冷媒となり、低圧の液化冷媒は蒸発器３４で気化することにより製氷部１１を冷却する。送水ポンプ２５により製氷小室１３に噴射送出される製氷水は製氷小室１３内で冷却されるとともに凍結し、製氷水タンク２１内の製氷水が徐々に減少する。入口部及び出口部温度センサ３７，３８の検出温度に基づく製氷の完了の検知としては、製氷部１１の温度が０℃に達したときから単位時間毎に検出した入口部及び出口部温度センサ３７，３８の平均温度と単位時間との積である単位積算数値を求め、これら単位積算数値を順次加算した加算合計数値が目標積算値となると、制御装置４０は製氷小室１３内にブロック形の氷が形成されて製氷が完了したことを検知して、送水ポンプ２５の駆動を停止させて製氷運転を終了させる。
【００２１】
製氷運転後の除氷運転では、制御装置４０は、圧縮機３１を作動させた状態でホットガス弁３６を開放するとともに、開閉機構２３のアクチュエータモータ２３ａにより水皿２２を開放位置に傾動させる。圧縮機３１から送出されるホットガスはホットガス管３５を通って蒸発器３４に導かれて製氷部１１の各製氷小室１３を加温する。製氷完了時の製氷部１１の温度は約−２０℃となっているが、製氷部１１の温度が徐々に上昇しながら、製氷小室１３内から氷が離脱する。入口部及び出口部温度センサ３７，３８の平均温度が除氷が完了したことを検知する所定温度として５℃以上となると、制御装置４０は、製氷部１１の製氷小室１３に氷が残ってない、即ち除氷が完了していると検知して、ホットガス弁３６を閉止して除氷運転を終了して再び上述したように製氷運転を実行する。この製氷機１０ではこのような制御装置４０による製氷運転と除氷運転を繰り返し実行させることで製氷部１１にてブロック形の氷を製造される。
【００２２】
上記のように構成した製氷機１０においては、冷凍装置３０は、冷媒を圧縮する圧縮機３１と、圧縮機３１から圧送された冷媒を冷却して液化させる凝縮器３２と、凝縮器３２にて液化させた液化冷媒を膨張させる膨張弁３３と、膨張弁３３により膨張させた液化冷媒を気化させて製氷部を冷却する蒸発器３４と、圧縮機３１から蒸発器３４にホットガスを送出するホットガス経路３５に介装されたホットガス弁３６とを有している。この製氷機１０の制御装置４０は、圧縮機３１から圧送されて凝縮器３２にて液化させた液化冷媒を膨張弁３３にて膨張させ、膨張させた液化冷媒を蒸発器３４にて気化させた気化熱により製氷部１１を冷却し、製氷部１１で送水部２０から送出された製氷水を凍結させて氷を製造する製氷運転と、製氷運転後に、ホットガス弁３６を開放することで圧縮機３１から送られるホットガス冷媒を蒸発器３４に送出して製氷部１１を加温し、製氷部１１から氷を離脱させる除氷運転とを交互に繰り返し実行させるようにしたものである。
【００２３】
この製氷機１０では、冷凍装置３０の膨張弁３３には制御装置４０の制御信号によって開度が調整される電子膨張弁を採用し、製氷部１１における蒸発器３４の冷媒の入口部３４ａと冷媒の出口部３４ｂとの各々に入口部温度センサ３７と出口部温度センサ３８とを設け、制御装置４０は製氷運転を実行しているときに入口部温度センサ３７と出口部温度センサ３８との各検出温度に基づいて膨張弁３３の開度を制御するようにしている。この製氷機１０においては、制御装置４０は、製氷運転の際に膨張弁３３の開度を制御するのに用いる入口部及び出口部温度センサ３７，３８の検出温度の平均温度に基づいて、製氷運転にて製氷が完了したことを検知するとともに、除氷運転にて除氷が完了したことを検知するようにした。
【００２４】
この実施形態での入口部及び出口部温度センサ３７，３８の検出温度に基づく製氷の完了の検知としては、製氷部１１の温度が氷結開始温度として入口部及び出口部温度センサ３７，３８の平均温度が０℃に達したときから単位時間毎に検出した入口部及び出口部温度センサ３７，３８の平均温度（２つの温度の平均）と単位時間との積である単位積算数値を求め、これら単位積算数値を順次加算した加算合計数値が目標積算値となると、制御装置４０は製氷小室１３内にブロック形の氷が形成されて製氷が完了したことを検知している。
【００２５】
また、この実施形態での入口部及び出口部温度センサ３７，３８の検出温度に基づく除氷の完了の検知としては、制御装置４０は、入口部温度センサ３７の検出温度と出口部温度センサ３８の検出温度の平均温度（２つの温度の平均）が所定温度として５℃以上となると除氷が完了したことを検知している。
【００２６】
このように、膨張弁３３の開度を制御するために設けた入口部及び出口部温度センサ３７，３８を用いて製氷運転が完了したことと除氷運転が完了したことを検知するようにしたので、製氷運転が完了したことと除氷運転が完了したことを検知するために温度センサを別途設ける必要がなくなり、製氷機１０の部品点数を減らすことでコストダウンを図ることができた。
【００２７】
この実施形態では、制御装置４０は入口部温度センサ３７の検出温度と出口部温度センサ３８の検出温度に基づいて、製氷が完了したことと除氷が完了したことの両方を検知したが、本発明はこれに限られるものでなく、製氷が完了したことと除氷が完了したことの一方だけを検知したものであってもよい。入口部及び出口部温度センサ３７，３８の検出温度に基づいて除氷の完了の検知だけをするときには、製氷運転の時間、製氷水タンク２１内の製氷水の水位に基づいて製氷の完了を検知してもよいし、入口部及び出口部温度センサ３７，３８の検出温度に基づいて製氷の完了の検知だけをするときには、除氷運転の時間に基づいて除氷の完了を検知してもよい。
【００２８】
この実施形態では、製氷の完了の検知として、制御装置４０は製氷部１１の温度が０℃に達したときから単位時間毎に検出した入口部及び出口部温度センサ３７，３８の平均温度と単位時間との積である単位積算数値を求め、これら単位積算数値を順次加算した加算合計数値が目標積算値となると製氷が完了したと検知したが、本発明はこれに限られるものでなく、入口部及び出口部温度センサ３７，３８の平均温度が所定の製氷完了温度より低くなったとき、入口部及び出口部温度センサ３７，３８の一方のみの検出温度が所定の製氷完了温度より低くなったときに製氷が完了したと検知したものであってもよい。また、入口部温度センサ３７の検出温度と出口部温度センサ３８の検出温度の平均温度、入口部温度センサ３７または出口部温度センサ３８の各検出温度を製氷部１１の中央部の温度に近づけるために適宜補正をし、補正した温度に基づいて製氷が完了したことを検知するようにしてもよい。
【００２９】
この実施形態では、制御装置４０は入口部温度センサ３７の検出温度と出口部温度センサ３８の検出温度の平均温度が所定温度として５℃以上となると除氷が完了したことを検知するようにしたが、本発明はこれに限られるものでなく、入口部及び出口部温度センサ３７，３８の一方のみの検出温度が所定温度として５℃以上となると除氷が完了したことを検知するようにしてもよい。また、入口部温度センサ３７の検出温度と出口部温度センサ３８の検出温度の平均温度、入口部温度センサ３７または出口部温度センサ３８の各検出温度を製氷部１１の中央部の温度に近づけるために適宜補正をし、補正した温度に基づいて除氷が完了したことを検知するようにしてもよい。
【００３０】
この実施形態の製氷機は、製氷部１１に設けた下向きに開口する多数の製氷小室１３を水皿２２により開閉自在に閉成し、水皿２２から各製氷小室１３へ製氷水を噴射供給して氷を製造する所謂クローズドセルタイプの製氷機であるが、本発明はこれに限られるものでなく、製氷小室を開放状態で製氷水を噴射供給して製氷を行う所謂オープンセルタイプの製氷機であってもよいし、製氷小室を水平方向に開口させて、製氷小室内に製氷水を流下させる、または、鉛直に起立させた製氷板に製氷水を流下させる流下式の製氷機であってもよい。
【符号の説明】
【００３１】
１０…製氷機、１１…製氷部、２０…送水部、３０…冷凍装置、３１…圧縮機、３２…凝縮器、３３…膨張弁、３４…蒸発器、３５…ホットガス経路（ホットガス管）、３６…ホットガス弁、３７…入口部温度センサ、３８…出口部温度センサ、４０…制御装置。
【図１】
2019078466.tif 000003
【図２】
2019078466.tif 000004